(57)【要約】【課題】  既設の壁面に、コンクリート壁面に形成されるような木目・板目模様を簡易に形成することができる壁面の模様形成方法を提供すること。【解決手段】  既設の壁面にモルタル材を塗布してモルタル層Ｍを形成し、このモルタル層Ｍの表面のみを乾燥させてから木目模様を有する模様転写板１０を配置してモルタル層Ｍに対して押圧または振動を加えて、模様転写板１０に形成された木目模様をモルタル層Ｍの表面に転写する。【選択図】図１
2019210709.tif 000002
【特許請求の範囲】
【請求項１】
既設の壁面の表面にモルタル材を塗布してモルタル層を形成するモルタル層形成工程と、
前記モルタル層の表面のみを乾燥させる表面乾燥工程と、
前記モルタル層の乾燥表面に木目模様を有する模様転写板を配置する転写準備工程と、
前記模様転写板を押圧して、または前記模様転写板に振動を加えて前記モルタル層の乾燥表面に木目模様を転写する転写工程と、
前記モルタル層から前記模様転写板を取り外す転写完了工程と、を備える壁面の模様形成方法。
【請求項２】
模様転写板は、杉板材からなることを特徴とする請求項１記載の壁面の模様形成方法。
【発明の詳細な説明】
【技術分野】
【０００１】
本発明は、壁面の模様形成方法に関し、より詳細には、壁面に木目・板目模様を簡易に形成できる壁面の模様形成方法に関する。
【０００２】
なお、本明細書における「壁面」とは、建築物の内外壁面、床面、天井面、仕切り壁面の他、構造物の表出面を含むものである。
【背景技術】
【０００３】
従来、コンクリートによって作られた建築物等は、型枠を組んでコンクリートを打設した後、型枠を取り外すことで形成される。型枠材としては合板や杉板が用いられ、特に杉板は、年輪の部分が木目模様となっているため、このような杉板型枠を用いた場合のコンクリート壁面は合板型枠を用いた場合と異なり美しい木目・板目模様を呈する。
【０００４】
こうした木目・板目模様を有するコンクリート壁面は、上述のようにコンクリートを打設することにより形成されるため、同様の方法では既設の壁面に木目・板目模様を形成することはできない。そこで、既設の壁面に、コンクリート壁面に形成されるような木目・板目模様を形成する方法が提案されている。例えば、硬化前のセメント成形板に木目模様のローラーを押しつけ、木目調の凹凸模様を表面に付与したセメント成形板を、下地壁面に専用金具もしくはビスを用いて止め、壁面を構築する方法（例えば、特許文献１参照）や、下地壁面の前面に空隙を介して模様転写板を配し、該模様転写板の下地壁面側にはセメント等による模様被転写層が形成されていて、該空隙にモルタル等の充填材を充填し、該模様被転写層と充填材を固着した後、前記模様転写板を取り外し、該充填材に固着した模様被転写層の表面に該模様転写板による板目等の模様を転写することで建築物壁面に模様形成する方法（例えば、特許文献２参照）が提案されている。
【０００５】
特許文献１及び特許文献２の方法によれば、既設の壁面に対して、木目・板目模様を有するコンクリート壁面を模した壁面を形成することが可能である。しかしながら、特許文献１の方法では、下地壁面への成形板の位置決めを一枚一枚しっかりしないと板目に隙間が生じたり、壁面全体に歪みが生じたりといったことが考えられる。また、特許文献２の方法は、下地壁面と模様転写板との間に空隙を形成した後、その空隙内にモルタル等の充填材を充填するので、下地壁面の全面に模様を形成するには模様転写板を型枠のように設置しなければならず、多くの時間と労力がかかることが考えられる。
【先行技術文献】
【特許文献】
【０００６】
【特許文献１】実用新案登録第３１０７５９１号公報
【特許文献２】特開平７−９７８７０号公報
【発明の概要】
【発明が解決しようとする課題】
【０００７】
そこで、本発明は既設の壁面に対して、コンクリート壁面に形成されるような木目・板目模様を簡易に形成することができる壁面の模様形成方法を提供することを課題とするものである。
【課題を解決するための手段】
【０００８】
上記課題を解決するために本発明が採った手段は、既設の壁面の表面にモルタル材を塗布してモルタル層を形成するモルタル層形成工程と、前記モルタル層の表面のみを乾燥させる表面乾燥工程と、前記モルタル層の乾燥表面に木目模様を有する模様転写板を配置する転写準備工程と、前記模様転写板を押圧して、または前記模様転写板に振動を加えて前記モルタル層の乾燥表面に木目模様を転写する転写工程と、前記モルタル層から前記模様転写板を取り外す転写完了工程と、を備える壁面の模様形成方法、である。
【０００９】
本発明に係る壁面の模様形成方法は、まず、既設の壁面にモルタル材を塗布してモルタル層を形成する（モルタル層形成工程）。そして、このモルタル層の表面を、目安として指で触れてもモルタル材が付着してこない程度にまで乾燥させる（表面乾燥工程）。次いで、表面のみが乾燥したモルタル層に対して、木目模様を有する模様転写板を配置し（転写準備工程）、この模様転写板をモルタル層に対して押圧し、または振動を加えて、模様転写板が有する木目模様をモルタル層の表面に転写する（転写工程）。そして、模様転写板を十分に押圧等したら、モルタル層から模様転写板を取り外す（転写完了工程）。このとき、モルタル層はその表面のみが乾燥した状態にあるので、模様転写板をすぐに取り外しても、模様転写板にモルタル材が付着してモルタル層を傷つけることがないので転写がきれいに行われるのである。
【００１０】
また、前記模様転写板は、杉板材からなるものであってもよい。模様転写板に杉板を用いることで、自然な木目模様をモルタル層に転写することができる。
【発明の効果】
【００１１】
本発明によれば、既設の壁面に対して、コンクリート壁面のような木目・板目模様を簡易に形成することができる。また、モルタル層の表面のみを乾燥させてから模様転写板を配置して模様を転写するので、模様転写板を取り外す際にモルタル材が剥がれることがなく、きれいに転写することができる。
【図面の簡単な説明】
【００１２】
【図１】実施例に係る壁面の模様形成方法を説明する模式図である。
【発明を実施するための形態】
【００１３】
［モルタル層形成工程］
本工程は、既設の壁面（下地壁面）に対し、模様が転写されることとなるモルタル層を形成する工程である。このモルタル層はモルタル材を下地壁面にコテ塗りすることで形成される。モルタル材は、下地壁面に直接塗布してもよいが、下地壁面の種類によっては事前にプライマーを塗布してもよい。また、モルタル層の強度を高めるために、モルタル層に耐アルカリ性ガラス繊維ネットを伏せ込んでもよい。
【００１４】
［表面乾燥工程］
本工程は、モルタル層形成工程で形成したモルタル層の表面のみを乾燥させる工程である。「表面のみ乾燥」とは、例えば指で触れてモルタル材が手に付着しない程度の状態をいう。このようにモルタル層の表面のみを乾燥させ、内部を柔らかい状態にしておくことで、後述する転写工程で模様がはっきりと転写されるとともに、転写完了工程で、模様転写板を取り外すときにモルタル層の表面が剥がれることがなくなるのである。
【００１５】
［転写準備工程］
本工程は、表面乾燥工程にて形成したモルタル層の乾燥表面に、木目模様を有する模様転写板を位置決めして配置する工程である。模様転写板は、木目模様が形成された板材であれば特に限定されないが、自然な木目模様を転写することができる杉板材を用いることが好ましい。
【００１６】
［転写工程］
本工程は、モルタル層の乾燥表面に、模様転写板が有する模様を転写する工程である。すなわち、転写準備工程にてモルタル層の乾燥表面に配置した模様転写板を押圧するか、あるいは模様転写板に振動を加えるかして、模様転写板に形成された木目模様をモルタル層の乾燥表面に転写する工程である。模様転写板の押圧方法としては、模様転写板の上からハンマーで叩く方法が考えられ、模様転写板に振動を加える方法としては、既存のバイブレータを模様転写板の上に当てる方法が考えられる。
【００１７】
［転写完了工程］
本工程は、転写工程の後、模様転写板をモルタル層表面から取り外す工程である。上述のように、モルタル層は表面のみが乾燥した状態にあるため、模様転写板を取り外す際に、モルタル材が模様転写板に付着してくることがないので、モルタル層を傷めずにきれいに取り外すことができる。
【００１８】
以上の工程を経ることによって、コンクリート壁面に形成されるような木目・板目模様を、既設の壁面に簡易に形成することができる。なお、転写完了工程の後、コンクリート壁面らしさをより強調するために、表面に気泡痕を形成したり、塗料を塗布したりしてもよい。さらに、木目や板目を筆で描き込んだり、スポンジ等を用いて色ムラを形成したりしてもよい。
【実施例】
【００１９】
以下に、本発明の一実施例を図に基づいて説明する。
【００２０】
最初に、モルタル層形成工程として、下地壁面にモルタル層Ｍを形成した。下地壁面には、事前にプライマーを塗布しておき、その上からモルタル材を塗り厚が２〜３ｍｍとなるようにコテを用いて塗布した。また、モルタル材塗布の際に、耐アルカリ性ガラス繊維ネットを下地壁面の全面を覆うように伏せ込んだ。そして、セパレータ痕を再現するための専用シール（Ｐコン孔シール）を貼り付け、さらにモルタル材を塗り厚が約５ｍｍとなるようにコテを用いて塗布した。
【００２１】
上記のようにして形成したモルタル層Ｍを、表面のみが乾燥するまで、すなわち、モルタル層の表面に指で触れたときに、モルタル材が指に付着しない程度にまで養生させた。このとき、霧吹きスプレー等でモルタル層Ｍの表面に散水してコテで押さえる作業を行い、モルタル層Ｍの表面の乾燥状態が均一となるようにした。
【００２２】
モルタル層の表面が乾燥したら、図１に示すように、模様形成板たる長尺の杉板材１０（Ｌ＝１００ｍｍ）を配置した。配置の際には、杉板材が水平に配置されるように、水平基本墨Ｂをチョークで墨出しし、次いで杉板材１０を水平基本墨Ｂに沿わせて配置した。
【００２３】
モルタル層Ｍの表面に杉板材を配置したら、杉板材を手で押さえながらその全面をハンマーでしっかりと叩いて、モルタル層Ｍの表面に木目模様を転写した。
【００２４】
杉板材を取り外したら、転写状態を確認するとともに、水平基本墨Ｂからの下がり寸法Ｌ１を確認する。次いで、杉板をＬ２の位置（Ｌ１の直下）に下げて配置して位置決め柄を行い、同様の方法にて転写を行った。そして、杉板材の配置をＬ３、Ｌ４・・・と順番に位置を下げては転写を繰り返した。
【００２５】
上記のようにして、壁面全面に対して転写が全て完了した後、モルタル層を５日間硬化養生させた。硬化後、Ｐコン孔シールを撤去し、模様形成を完了させた。
【００２６】
本実施例に係る壁面の模様形成方法によれば、既設の壁面に対して、コンクリート壁面を模した木目・板目模様を簡易に形成することができる。また、モルタル層の表面のみを乾燥させてから模様転写板を配置して模様を転写するので、模様転写板を取り外す際にモルタル材が剥がれることがなく、きれいな転写面を形成することができる。
【００２７】
なお、本発明は、上記実施例に限定されるものではなく、本発明の要旨を変更しない範囲内で変形実施できる構成を含む。例えば、上記実施例では、プライマーの塗布、耐アルカリ性ガラス繊維ネットの伏せ込み、Ｐコン孔シールの貼り付けを行っているが、これらの工程は省略してもよい。逆に、模様形成完了後に、さらに美観を向上させるために塗料を塗布したりしてもよいし、木目や板目を筆で描き込んだり、スポンジ等を用いて色ムラを形成したりしてもよい。
【００２８】
また、上記実施例では、既設の壁面の全面に模様を形成する場合について説明したが、既設の壁面の一部に模様を形成する場合や、修繕する場合にも同様にして実施することができる。
【符号の説明】
【００２９】
１０  杉板（模様転写板）
Ｂ  水平基本墨
Ｍ  モルタル層
【図１】
2019210709.tif 000003
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
Ａ）  既設の壁面の表面にモルタル材を塗布してモルタル層を形成するモルタル層形成工程と、
Ｂ）  前記モルタル層の表面のみを、指で触れたときにモルタル材が指に付着しない程度の状態に乾燥させる表面乾燥工程と、
Ｃ）  前記モルタル層の乾燥表面上の選択された位置（Ｌ１）に、木目模様を有する模様転写板を配置する工程と、
Ｄ）  前記模様転写板を押圧して、または前記模様転写板に振動を加えて前記モルタル層の乾燥表面に木目模様を転写する転写工程と、
Ｅ）  前記モルタル層から前記模様転写板を取り外す工程と、を備え、
前記工程Ｅで取り外した前記模様転写板を前記モルタル層の乾燥表面上の別の位置（Ｌ２，Ｌ３，Ｌ４）に配置し直して前記工程ＤおよびＥを実行することを複数回繰り返すことで前記モルタル層の全面に対して木目模様の転写を完了し、
その後に前記モルタル層を硬化養生させることを特徴とする壁面の模様形成方法。
【請求項２】
模様転写板は、杉板材からなることを特徴とする請求項１記載の壁面の模様形成方法。 
【手続補正２】
【補正対象書類名】明細書
【補正対象項目名】０００８
【補正方法】変更
【補正の内容】
【０００８】
上記課題を解決するために本発明が採った手段は、
Ａ）  既設の壁面の表面にモルタル材を塗布してモルタル層を形成するモルタル層形成工程と、
Ｂ）  前記モルタル層の表面のみを、指で触れたときにモルタル材が指に付着しない程度の状態に乾燥させる表面乾燥工程と、
Ｃ）  前記モルタル層の乾燥表面上の選択された位置（Ｌ１）に、木目模様を有する模様転写板を配置する工程と、
Ｄ）  前記模様転写板を押圧して、または前記模様転写板に振動を加えて前記モルタル層の乾燥表面に木目模様を転写する転写工程と、
Ｅ）  前記モルタル層から前記模様転写板を取り外す工程と、を備え、
前記工程Ｅで取り外した前記模様転写板を前記モルタル層の乾燥表面上の別の位置（Ｌ２，Ｌ３，Ｌ４）に配置し直して前記工程ＤおよびＥを実行することを複数回繰り返すことで前記モルタル層の全面に対して木目模様の転写を完了し、
その後に前記モルタル層を硬化養生させることを特徴とする壁面の模様形成方法、である。 
【手続補正３】
【補正対象書類名】明細書
【補正対象項目名】０００９
【補正方法】変更
【補正の内容】
【０００９】
本発明に係る壁面の模様形成方法は、まず、既設の壁面にモルタル材を塗布してモルタル層を形成する（モルタル層形成工程Ａ）。そして、このモルタル層の表面を、目安として指で触れてもモルタル材が付着してこない程度にまで乾燥させる（表面乾燥工程Ｂ）。次いで、表面のみが乾燥したモルタル層の乾燥表面上の選択された位置（Ｌ１）に対して、木目模様を有する模様転写板を配置し（工程Ｃ）、この模様転写板をモルタル層に対して押圧し、または振動を加えて、模様転写板が有する木目模様をモルタル層の表面に転写する（転写工程Ｄ）。そして、模様転写板を十分に押圧等したら、モルタル層から模様転写板を取り外す（工程Ｅ）。このとき、モルタル層はその表面のみが乾燥した状態にあるので、模様転写板をすぐに取り外しても、模様転写板にモルタル材が付着してモルタル層を傷つけることがないので転写がきれいに行われるのである。更に、前記工程Ｅで取り外した模様転写板を前記モルタル層の乾燥表面上の別の位置（Ｌ２，Ｌ３，Ｌ４）に配置し直して工程ＤおよびＥを実行することを複数回繰り返すことで前記モルタル層の全面に対して木目模様の転写を完了する。その後にモルタル層を硬化養生させることで、壁面の模様形成を完了する。